(57)【要約】【課題】効率的なネットワークを構築する。【解決手段】複数の通信装置は、第１の期間において人口が増加し、かつ、第２の期間において人口が減少する第１の地域に設置される第１の通信装置及び第２の通信装置と、前記第１の期間において人口が減少し、かつ、前記第２の期間において人口が増加する第２の地域に設置される第３の通信装置及び第４の通信装置と、第５の通信装置と、を含み、前記第１の期間において、前記第３の通信装置は、第１の容量及び第２の容量の合計より少ない容量であり、かつ、前記第４の通信装置が転送するデータを収容する第３のパスを前記第５の通信装置との間に設定し、前記第２の期間において、前記第３の通信装置は、第３の容量の第５のパスを前記第５の通信装置との間に設定し、前記制御装置は、前記第２の期間において、前記第１の期間が開始するか否かを判定し、前記第２の期間が開始するか否かを判定する。【選択図】図１
2015216479.tif 000002
【特許請求の範囲】
【請求項１】
データを転送する通信システムであって、
前記通信システムは、複数の通信装置、及び、前記複数の通信装置と接続する制御装置とを有し、
前記複数の通信装置は、
周期的に開始される第１の期間において人口が多い状態であり、かつ、前記第１の期間以外の第２の期間において人口が少ない状態である第１の地域に設置される第１の通信装置及び第２の通信装置と、
前記第１の期間において人口が少ない状態であり、かつ、前記第２の期間において人口が多い状態である第２の地域に設置される第３の通信装置及び第４の通信装置と、
前記第１の通信装置、前記第２の通信装置、前記第３の通信装置及び前記第４の通信装置と通信する、第５の通信装置と、を含み、
前記第１の期間において、前記第１の通信装置は、第１の容量である第１のパスを前記第５の通信装置との間に設定し、
前記第１の期間において、前記第２の通信装置は、第２の容量である第２のパスを前記第５の通信装置との間に設定し、
前記第１の期間において、前記第３の通信装置は、前記第１の容量及び前記第２の容量の合計より少ない容量であり、かつ、前記第４の通信装置が転送するデータを収容する第３のパスを前記第５の通信装置との間に設定し、
前記第１の期間において、前記第４の通信装置は、第４のパスを前記第３の通信装置との間に設定し、
前記第２の期間において、前記第３の通信装置は、第３の容量である第５のパスを前記第５の通信装置との間に設定し、
前記第２の期間において、前記第４の通信装置は、第４の容量である第６のパスを前記第５の通信装置との間に設定し、
前記制御装置は、
前記第２の期間において、前記第１の期間が開始するか否かを判定し、
前記第１の期間が開始する場合、前記第３の通信装置及び前記第４の通信装置に、前記第３のパス及び前記第４のパスの設定を指示し、
前記第１の期間において、前記第２の期間が開始するか否かを判定し、
前記第２の期間が開始する場合、前記第３の通信装置及び前記第４の通信装置に、前記第５のパス及び前記第６のパスの設定を指示することを特徴とする通信システム。
【請求項２】
請求項１に記載の通信システムであって、
前記複数の通信装置は、光信号を送受信し、
前記第３の通信装置は、
電気信号を受信し、
前記第４の通信装置から前記第４のパスを介して光信号を受信し、
前記第４のパスを介して受信した光信号を電気信号に変換し、
前記受信した電気信号と、前記受信した光信号から変換された電気信号とを、波長多重し、
前記波長多重された電気信号を光信号に変換し、
前記電気信号から変換された光信号を、前記第３のパスを介して前記第５の通信装置に送信することを特徴とする通信システム。
【請求項３】
請求項１又は２に記載の通信システムであって、
前記第２の期間において、前記第１の通信装置は、前記第３の容量及び第４の容量の合計より少ない容量であり、かつ、前記第２の通信装置のデータを収容する第７のパスを前記第５の通信装置との間に設定し、
前記第２の期間において、前記第２の通信装置は、第８のパスを前記第１の通信装置との間に設定し、
前記制御装置は、
前記第１の期間が開始する場合、前記第１の通信装置及び前記第２の通信装置に、前記第１のパス及び前記第２のパスの設定を指示し、
前記第２の期間が開始する場合、前記第１の通信装置及び前記第２の通信装置に、前記第７のパス及び前記第８のパスの設定を指示することを特徴とする通信システム。
【請求項４】
請求項１又は２に記載の通信システムであって、
前記制御装置は、
前記第１の通信装置、前記第２の通信装置、前記第３の通信装置及び前記第４の通信装置において測定されたデータ流量を、測定結果として取得し、
前記第１の通信装置及び前記第２の通信装置から取得した測定結果に基づいて、前記第１の地域におけるデータ流量の合計値を算出し、
前記第３の通信装置及び前記第４の通信装置から取得した測定結果に基づいて、前記第２の地域におけるデータ流量の合計値を算出し、
前記第１の地域におけるデータ流量の合計値が第１の閾値を超え、かつ、前記第２の地域におけるデータ流量の合計値が第２の閾値以下である場合、前記第１の期間が開始すると判定することを特徴とする通信システム。
【請求項５】
請求項１又は２に記載の通信システムであって、
前記制御装置は、
前記第１の期間が開始する時刻を保持し、
現在時刻が前記第１の期間が開始する時刻を過ぎた場合、前記第１の期間が開始すると判定することを特徴とする通信システム。
【請求項６】
請求項１又は２に記載の通信システムであって、
前記制御装置は、
パスが通過する物理経路における障害を検知し、
前記第３のパスが通過する経路における障害を検知した場合、前記第１の通信装置、前記第２の通信装置及び前記第４の通信装置の少なくとも一つを経由するパスに前記第３のパスを変更するように、前記第３の通信装置に指示することを特徴とする通信システム。
【請求項７】
請求項１又は２に記載の通信システムであって、
前記第３の通信装置は、第６の通信装置及び第７の通信装置と接続し、
前記第６の通信装置は、前記第１の期間において、第５の容量であり、かつ、前記第７の通信装置のデータを収容する第９のパスを前記第３の通信装置との間に設定し、
前記第７の通信装置は、前記第１の期間において、第１０のパスを前記第６の通信装置との間に設定し、
前記第３の通信装置は、前記第１の期間において、第６の容量であり、かつ、前記第４の通信装置、前記第６の通信装置及び前記第７の通信装置のデータを収容する前記第３のパスを前記第５の通信装置との間に設定することを特徴とする通信システム。
【請求項８】
請求項１又は２に記載の通信システムであって、
前記第３の通信装置は、前記第４のパスと接続するためのインタフェースを有し、
前記制御装置は、前記第２の期間において、前記インタフェースへの給電を停止するように、前記第３の通信装置に指示することを特徴とする通信システム。
【請求項９】
データを転送する通信システムによる通信方法であって、
前記通信システムは、複数の通信装置、及び、前記複数の通信装置と接続する制御装置とを有し、
前記複数の通信装置は、
周期的に開始される第１の期間において人口が多い状態であり、かつ、前記第１の期間以外の第２の期間において人口が少ない状態である第１の地域に設置される第１の通信装置及び第２の通信装置と、
前記第１の期間において人口が少ない状態であり、かつ、前記第２の期間において人口が多い状態である第２の地域に設置される第３の通信装置及び第４の通信装置と、
前記第１の通信装置、前記第２の通信装置、前記第３の通信装置及び前記第４の通信装置と通信する、第５の通信装置と、を含み、
前記方法は、
前記第１の期間において、前記第１の通信装置が、第１の容量である第１のパスを前記第５の通信装置との間に設定し、
前記第１の期間において、前記第２の通信装置が、第２の容量である第２のパスを前記第５の通信装置との間に設定し、
前記第１の期間において、前記第３の通信装置が、前記第１の容量及び前記第２の容量の合計より少ない容量であり、かつ、前記第４の通信装置が転送するデータを収容する第３のパスを前記第５の通信装置との間に設定し、
前記第１の期間において、前記第４の通信装置が、第４のパスを前記第３の通信装置との間に設定し、
前記第２の期間において、前記第３の通信装置が、第３の容量である第５のパスを前記第５の通信装置との間に設定し、
前記第２の期間において、前記第４の通信装置が、第４の容量である第６のパスを前記第５の通信装置との間に設定し、
前記制御装置が、前記第２の期間において、前記第１の期間が開始するか否かを判定し、
前記制御装置が、前記第１の期間が開始する場合、前記第３の通信装置及び前記第４の通信装置に、前記第３のパス及び前記第４のパスの設定を指示し、
前記制御装置が、前記第１の期間において、前記第２の期間が開始するか否かを判定し、
前記制御装置が、前記第２の期間が開始する場合、前記第３の通信装置及び前記第４の通信装置に、前記第５のパス及び前記第６のパスの設定を指示することを特徴とする通信方法。
【請求項１０】
請求項９に記載の通信方法であって、
前記複数の通信装置が、光信号を送受信し、
前記第３の通信装置が、電気信号を受信し、
前記第３の通信装置が、前記第４の通信装置から前記第４のパスを介して光信号を受信し、
前記第３の通信装置が、前記第４のパスを介して受信した光信号を電気信号に変換し、
前記第３の通信装置が、前記受信した電気信号と、前記受信した光信号から変換された電気信号とを、波長多重し、
前記第３の通信装置が、前記波長多重された電気信号を光信号に変換し、
前記第３の通信装置が、前記電気信号から変換された光信号を、前記第３のパスを介して前記第５の通信装置に送信することを特徴とする通信方法。
【請求項１１】
請求項９又は１０に記載の通信方法であって、
前記第２の期間において、前記第１の通信装置が、前記第３の容量及び第４の容量の合計より少ない容量であり、かつ、前記第２の通信装置のデータを収容する第７のパスを前記第５の通信装置との間に設定し、
前記第２の期間において、前記第２の通信装置が、第８のパスを前記第１の通信装置との間に設定し、
前記制御装置が、前記第１の期間が開始する場合、前記第１の通信装置及び前記第２の通信装置に、前記第１のパス及び前記第２のパスの設定を指示し、
前記制御装置が、前記第２の期間が開始する場合、前記第１の通信装置及び前記第２の通信装置に、前記第７のパス及び前記第８のパスの設定を指示することを特徴とする通信方法。
【請求項１２】
請求項９又は１０に記載の通信方法であって、
前記制御装置が、前記第１の通信装置、前記第２の通信装置、前記第３の通信装置及び前記第４の通信装置において測定されたデータ流量を、測定結果として取得し、
前記制御装置が、前記第１の通信装置及び前記第２の通信装置から取得した測定結果に基づいて、前記第１の地域におけるデータ流量の合計値を算出し、
前記制御装置が、前記第３の通信装置及び前記第４の通信装置から取得した測定結果に基づいて、前記第２の地域におけるデータ流量の合計値を算出し、
前記制御装置が、前記第１の地域におけるデータ流量の合計値が第１の閾値を超え、かつ、前記第２の地域におけるデータ流量の合計値が第２の閾値以下である場合、前記第１の期間が開始すると判定することを特徴とする通信方法。
【請求項１３】
請求項９又は１０に記載の通信方法であって、
前記制御装置は、前記第１の期間が開始する時刻を保持し、
前記方法は、前記制御装置が、現在時刻が前記第１の期間が開始する時刻を過ぎた場合、前記第１の期間が開始すると判定することを特徴とする通信方法。
【請求項１４】
請求項９又は１０に記載の通信方法であって、
前記制御装置が、パスが通過する物理経路における障害を検知し、
前記制御装置が、前記第３のパスが通過する経路における障害を検知した場合、前記第１の通信装置、前記第２の通信装置及び前記第４の通信装置の少なくとも一つを経由するパスに前記第３のパスを変更するように、前記第３の通信装置に指示することを特徴とする通信方法。
【請求項１５】
制御装置であって、
前記制御装置は、複数の通信装置と接続し、
前記複数の通信装置は、
周期的に開始される第１の期間において人口が多い状態であり、かつ、前記第１の期間以外の第２の期間において人口が少ない状態である第１の地域に設置される第１の通信装置及び第２の通信装置と、
前記第１の期間において人口が少ない状態であり、かつ、前記第２の期間において人口が多い状態である第２の地域に設置される第３の通信装置及び第４の通信装置と、
前記第１の通信装置、前記第２の通信装置、前記第３の通信装置及び前記第４の通信装置と通信する、第５の通信装置と、を含み、
前記制御装置は、パスを示す設定情報を保持し、
前記設定情報は、
前記第１の期間において設定される、前記第１の通信装置と前記第５の通信装置との間の、第１の容量である第１のパスと、
前記第１の期間において設定される、前記第２の通信装置と前記第５の通信装置との間の、第２の容量である第２のパスと、
前記第１の期間において設定される、前記第３の通信装置と前記第５の通信装置との間の、前記第１の容量及び前記第２の容量の合計より少ない容量であり、かつ、前記第４の通信装置が転送するデータを収容する第３のパスと、
前記第１の期間において設定される、前記第４の通信装置と前記第３の通信装置との間の第４のパスと、
前記第２の期間において設定される、前記第３の通信装置と前記第５の通信装置との間の、第３の容量である第５のパスと、
前記第２の期間において設定される、前記第４の通信装置と前記第５の通信装置との間の、第４の容量である第６のパスと、を示し、
前記制御装置は、
前記第２の期間において、前記第１の期間が開始するか否かを判定し、
前記第１の期間が開始する場合、前記第３の通信装置及び前記第４の通信装置に、前記第３のパス及び前記第４のパスの設定を、前記設定情報に基づいて指示し、
前記第１の期間において、前記第２の期間が開始するか否かを判定し、
前記第２の期間が開始する場合、前記第３の通信装置及び前記第４の通信装置に、前記第５のパス及び前記第６のパスの設定を、前記設定情報に基づいて指示することを特徴とする制御装置。
【発明の詳細な説明】
【技術分野】
【０００１】
本発明は、通信システムに関する。
【背景技術】
【０００２】
一般的な統計資料（例えば、非特許文献１参照）によると、東京都の昼間人口と夜間人口とは異なる。具体的に非特許文献１の第１章２には、「昼間には約３００万人が東京都に流入するとともに、約５０万人が東京都から流出している」と記載されている。また、非特許文献１の第１章４（１）には、昼間において東京都に流入する「約３００万人のうち約２９０万人は周辺３県（埼玉、千葉、神奈川）から流入である」と記載されている。
【０００３】
また、非特許文献１の第１章３には、「都心部の昼間人口と夜間人口の比率（＝昼間人口/夜間人口）は大きく、区部では１３０％、センターコアエリア１１区では２２８％、都心３区では６００％にも達する」と記載される。これは、ビジネス地域が集中する都心部と住宅地域が支配的な周辺部との間を、通勤又は通学により日々人が移動するためである。
【０００４】
計算機システムを用いた通信ネットワーク（以下、ネットワークと記載）は、現在、地理的条件に従って構築されている。即ち、人はビジネス地域と住宅地域との間を移動（往復）するが、ネットワークは、ビジネス地域と住宅地域とで独立して設計されている。
【０００５】
ネットワークを構成する通信装置には、波長多重伝送装置がある。この波長多重伝送装置は、従来、大容量伝送機能及び光スイッチ機能を具備するが、電気信号の多重分離機能及びスイッチ機能を具備していない。そして、これらの電気信号の多重分離機能及びスイッチ機能は、波長多重伝送装置とは異なる装置によって実装されていた。
【０００６】
しかし最近は、前述の大容量伝送機能、光スイッチ機能、電気信号の多重分離機能、及び、電気信号のスイッチ機能を具備したトランスポート装置としてＰＯＴＳ（Ｐａｃｋｅｔ  Ｏｐｔｉｃａｌ  Ｔｒａｎｓｐｏｒｔ  Ｓｙｓｔｅｍ：パケット光トランスポートシステム）の開発が推進されている。ＰＯＴＳとは、大容量伝送機能及び光スイッチ機能を有する波長多重伝送機能と、パケット技術をベースとしつつ高品質で高信頼性の確保を可能とする電気信号の多重分離機能及びスイッチ機能と、を融合したシステムである。
【０００７】
なお、トラフィック量の長期的な変化の傾向に対応して、ネットワークの論理的な形状をトラフィック量の変化傾向に適応させることにより、スループットに優れた光ネットワークを提供する方法が提案されている（例えば、特許文献１参照）。
【先行技術文献】
【特許文献】
【０００８】
【特許文献１】特開２００６−２７９８１８号公報
【非特許文献】
【０００９】
【非特許文献１】東京都、「東京都昼間人口の予測」、推計人口資料第62号、第１章２、３、４（１）、平成２２年３月
【発明の概要】
【発明が解決しようとする課題】
【００１０】
特許文献１では、人の周期的な移動に着目してネットワークを構成する点については記載されていない。
【００１１】
現在、広域な地域に構築されるネットワークは、地理的条件によって構築される。即ち、人はビジネス地域と住宅地域との間を移動するが、ネットワークは、ビジネス地域と住宅地域とでは独立して設計される。その結果、ビジネス地域では昼間に人が集中し、その結果、一部の地域では、昼間はトラフィックの輻輳を起こす一方で夜間は設備過剰になってしまう、という課題がある。
【課題を解決するための手段】
【００１２】
上記課題を解決するために、本発明は、人の移動に着目してネットワークを構成するものである。人は起きてから移動し、移動先から移動元に帰ってくると仮定でき、移動元と移動先とに一つのネットワークを構築すれば、ネットワーク全体におけるトラフィック量の変動は少ない。
【００１３】
具体的には、複数の地域を人が移動することに着目し、一日を通して全体として人口増減の少ない地理的範囲に一つのネットワークを構築する。従来は隣接する局間でネットワークを構築してきたが、都市中心部などのビジネス地域とベッドタウンなどの住宅地域とに一つのネットワークを構築することにより、人が二つの地域間を移動してもネットワークがカバーする人の数を一定にする。即ち、同じ期間において、人が増加する地域と、対応して人が減少する地域とに一つのネットワークを構築する。
【００１４】
本発明の代表的な一形態によると、データを光信号によって転送する通信システムであって、前記通信システムは、複数の通信装置、及び、前記複数の通信装置と接続する制御装置とを有し、前記複数の通信装置は、第１の期間において人口が増加し、かつ、前記第１の期間以外の第２の期間において人口が減少する第１の地域に設置される第１の通信装置及び第２の通信装置と、前記第１の期間において人口が減少し、かつ、前記第２の期間において人口が増加する第２の地域に設置される第３の通信装置及び第４の通信装置と、前記第１の通信装置、前記第２の通信装置、前記第３の通信装置及び前記第４の通信装置と通信する、第５の通信装置と、を含み、前記第１の期間において、前記第１の通信装置は、第１の容量の第１のパスを前記第５の通信装置との間に設定し、前記第１の期間において、前記第２の通信装置は、第２の容量の第２のパスを前記第５の通信装置との間に設定し、前記第１の期間において、前記第３の通信装置は、前記第１の容量及び前記第２の容量の合計より少ない容量であり、かつ、前記第４の通信装置が転送するデータを収容する第３のパスを前記第５の通信装置との間に設定し、前記第１の期間において、前記第４の通信装置は、第４のパスを前記第３の通信装置との間に設定し、前記第２の期間において、前記第３の通信装置は、第３の容量の第５のパスを前記第５の通信装置との間に設定し、前記第２の期間において、前記第４の通信装置は、第４の容量の第６のパスを前記第５の通信装置との間に設定し、前記制御装置は、前記第２の期間において、前記第１の期間が開始するか否かを判定し、前記第１の期間が開始する場合、前記第１の通信装置、前記第２の通信装置、前記第３の通信装置及び前記第４の通信装置に、前記第１のパス、前記第２のパス、前記第３のパス及び前記第４のパスの設定を指示し、前記第１の期間において、前記第２の期間が開始するか否かを判定し、前記第２の期間が開始する場合、前記第３の通信装置及び前記第４の通信装置に、前記第５のパス及び前記第６のパスの設定を指示する。
【発明の効果】
【００１５】
本発明の一実施形態によると、ネットワーク全体としてトラフィックの変動の少ない、効率的なネットワークを構築することができる。
【００１６】
上記した以外の課題、構成及び効果は、以下の実施形態の説明により明らかにされる。
【図面の簡単な説明】
【００１７】
【図１】実施例１の地域Ｂから地域Ａに人が移動する場合のネットワークの構成を示す説明図である。
【図２】実施例１の地域Ａから地域Ｂに人が移動する場合のネットワークの構成を示す説明図である。
【図３】実施例１のトランスポート装置の構成を示すブロック図である。
【図４】実施例１のトランスポート装置とコントローラとの接続を示す説明図である。
【図５】実施例１のコントローラの構成を示すブロック図である。
【図６】実施例１の状態１における光パス設定情報を示す説明図である。
【図７】実施例１の状態２における光パス設定情報を示す説明図である。
【図８】実施例１の地域Ａにおけるトラフィック合計と地域Ｂにおけるトラフィック合計とを示す説明図である。
【図９】実施例１のコントローラの処理を示すフローチャートである。
【図１０】実施例１のコントローラの処理の詳細を示すフローチャートである。
【図１１】実施例１の設定する光パスの本数の条件を示す説明図である。
【図１２】実施例２のコントローラの処理を示すフローチャートである。
【図１３】実施例３の状態１のネットワークの構成を示す説明図である。
【図１４】実施例３の状態２のネットワークの構成を示す説明図である。
【図１５】実施例３の障害時の状態１における光パス設定情報を示す説明図である。
【図１６】実施例３の障害時の状態２における光パス設定情報を示す説明図である。
【図１７】実施例４の状態１における地域Ｂのネットワークを示す説明図である。
【図１８】実施例４の状態２における地域Ｂのネットワークを示す説明図である。
【発明を実施するための形態】
【００１８】
以下、実施例を、図面を用いて説明する。
【実施例１】
【００１９】
以下に示す実施例におけるネットワークは、ＰＯＴＳ等を用いたトランスポート装置によって構成される。また、実施例１のトランスポート装置はトラフィック流量を測定する機能を有し、コントローラが、トランスポート装置で測定したトラフィック流量をコントローラに収集して分析することにより、ネットワーク構成を最適に変更する。これによって、ネットワークをより効率的に運用することができる。
【００２０】
具体的には、人の移動に伴うトラフィックの増減に対応して、トランスポート装置（例えば、ＰＯＴＳ）が有する波長多重機能と電気多重機能とを連携して用いる。これにより、ネットワークに光パスを最適に設定することができる。
【００２１】
さらに、不使用となったインタフェースの電源を遮断することにより、消費電力の低減をはかることができる。
【００２２】
本実施例では、人の移動に着目したネットワークの構成方法および制御方法を説明する。
【００２３】
図１は、実施例１の地域Ｂ２００から地域Ａ１００に人が移動する場合のネットワークの構成を示す説明図である。
【００２４】
図１は、実施例１のネットワークにおける、伝送路の光ファイバの配置、及び、トランスポート装置の配置を示す。また、図１に示すネットワークは、昼間のネットワークであり、地域Ｂ２００から地域Ａ１００に人が移動した後の光パスが設定される。
【００２５】
地域Ａ１００は、例えばビジネス地域であり、地域Ｂ２００は、例えば住宅地域である。地域Ｂ２００に居住する人の多くは、昼間、地域Ｂ２００から地域Ａ１００に移動する。以下において、図１に示す昼間のような状態を状態１と記載する。具体的には、状態１は、地域Ａ１００に滞在する人口が地域Ｂ２００に滞在する人口よりも多い状態である。
【００２６】
実施例１のネットワークは、複数のトランスポート装置（３０１〜３０５）及びコントローラ５００を有する。コントローラ５００は、複数のトランスポート装置すべてから情報を収集し、収集した情報を分析する制御装置である。また、コントローラ５００は、複数のトランスポート装置の設定を変更することによって、複数のトランスポート装置の動作を制御する。
【００２７】
トランスポート装置３０２及びトランスポート装置３０３は、地域Ａ１００に設置され、例えば企業又は官庁など、昼間に人が滞在することが多い施設とトラフィックを送受信する。トランスポート装置３０４及び３０５は、地域Ｂ２００に設置され、例えば住宅等、夜間に人が滞在することが多い施設とトラフィックを送受信する。
【００２８】
トランスポート装置３０１は、複数のトランスポート装置（３０２〜３０５）とトラフィックを送受信する。トランスポート装置３０１は、例えば、データセンタに接続される。トランスポート装置３０１は、地域Ａ１００又は地域Ｂ２００に設置されてもよいし、地域Ａ１００及び地域Ｂ２００とは異なる地域に設置されてもよい。なお、実施例１の複数のトランスポート装置は、例えばＰＯＴＳによって実装される。
【００２９】
複数のトランスポート装置が、光ファイバ４００によって接続されることによって、実施例１のネットワークは、地域Ａ１００及び地域Ｂ２００に設置される。光ファイバ４００は、伝送路であり、右回り及び左回りの２本のリング状の光ファイバを有する。光ファイバ４００は、２本の光ファイバによって、双方向に光信号を転送する。
【００３０】
複数のトランスポート装置は、通信装置であり、受信した光信号を光信号のまま転送する。また、複数のトランスポート装置は、受信した光信号を電気信号に変換し、さらに、変換した複数の電気信号を波長によって多重化する。そして、複数のトランスポート装置は、多重化された電気信号を光信号に変換し、光信号を光パスを介して転送する。
【００３１】
複数のトランスポート装置（３０１〜３０５）は、各々、多重分離スイッチ部（６０１〜６０５）、少なくとも一つのインタフェース（７０１ａ、７０１ｂ、７０１ｃ、７０２ａ、７０２ｂ、７０３ａ、７０４ｂ、７０５ａ、７０５ｂ）、光スイッチ部（８０１−１、８０２−１、８０３−１、８０４−１、８０５−１）、及び、制御部（９０１〜９０５）を有する。
【００３２】
複数のトランスポート装置は、各々同じ機能を有し、複数のトランスポート装置が各々有する多重分離スイッチ部、インタフェース、光スイッチ部、及び、制御部は、各々同じ機能である。
【００３３】
なお、複数のトランスポート装置は、必要に応じた数のインタフェースを用いる。このため、図１に示すトランスポート装置３０３及びトランスポート装置３０４は、各々一つのインタフェース（７０３ａ、７０４ｂ）を有する。しかし、トランスポート装置３０３及びトランスポート装置３０４は、必要に応じて二つ以上のインタフェースを有してもよい。
【００３４】
以下において、実施例１のコントローラ５００により、ネットワークに設定される光パスについて説明する。
【００３５】
図１に示すネットワークの光ファイバ４００には、コントローラ５００からの指示に従い、光パス（１００１ａ、１００１ｂ、１００１ｃ、１００１ｄ）が設定される。図１に示す地域Ａ１００を通過する光ファイバ４００には、複数の光パス（１００１ａ、１００１ｂ）が設定される。また、図１に示す地域Ｂ２００を通過する光ファイバ４００には、光パス（１００１ｃ、１００１ｄ）が、各々異なるトランスポート装置間に設定される。
【００３６】
昼間において、人は地域Ａ１００に集中して滞在するため、地域Ａ１００におけるトラフィックを送信及び受信するためには、大きな容量の光パスが必要である。そして、光パス１本あたりの容量が制限されている場合、複数の光パスの容量が必要であるため、図１における地域Ａ１００のネットワークには、２本の光パス（１００１ａ、１００１ｂ）が設定される。
【００３７】
より具体的には、トランスポート装置３０２のインタフェース７０２ａと、トランスポート装置３０１のインタフェース７０１ａとの間を、直接接続するための光パス１００１ａが、コントローラ５００の指示に従いトランスポート装置３０１及びトランスポート装置３０２に設定される。
【００３８】
また、トランスポート装置３０３のインタフェース７０３ａとトランスポート装置３０１のインタフェース７０１ｂとの間を直接接続する光パス１００１ｂが、コントローラ５００の指示に従い、トランスポート装置３０３及びトランスポート装置３０１に設定される。
【００３９】
このとき、トランスポート装置３０２のインタフェース７０２ｂは、不使用状態になるため、コントローラ５００は、省電力のためインタフェース７０２ｂの電源を遮断することを指示する。また、図１に示すコントローラ５００は、光スイッチ部８０２−１を、光パス１００１ｂの光信号を光信号のまま転送するように設定する。
【００４０】
一方、地域Ｂ２００の昼間の人口は少ないため、コントローラ５００は、地域Ｂ２００におけるトラフィックを送信及び受信するために、容量の大きな光パスを設定する必要はない。ここで、図１に示す地域Ｂ２００全体において発生するトラフィックは、光パス１本分の容量以下で送信及び受信され、光パス１００１ａ及び光パス１００１ｂの容量の合計値よりも少ない容量の光パスによって送受信される。
【００４１】
このため、図１に示すトランスポート装置３０４及びトランスポート装置３０５間を送受信されるトラフィックは、トランスポート装置３０５及びトランスポート装置３０１間の光パス１００１ｃに収容することができる。
【００４２】
具体的には、トランスポート装置３０４及びトランスポート装置３０５間のトラフィックは、トランスポート装置３０５の多重分離スイッチ部６０５によって電気的に多重化又は分離され、さらに、トランスポート装置３０５のインタフェース７０５ｂとトランスポート装置３０１のインタフェース７０１ｃとの間に設定された１本の光パス１００１ｃに収容される。
【００４３】
より具体的には、トランスポート装置３０５は、トランスポート装置３０４から受信した光信号を電気信号に変換し、自らが住宅等から受信した電気信号と、光信号から変換された電気信号と多重化する。そして、トランスポート装置３０５は、多重化した電気信号を光信号に変換し、変換後の光信号を、光パス１００１ｃを介してトランスポート装置３０１に送信する。
【００４４】
また、トランスポート装置３０５は、トランスポート装置３０１から光パス１００１ｃを介して受信した光信号を電気信号に変換し、変換後の電気信号を波長ごとに分離し、分離された電気信号の各々を光信号に変換し、各々の波長に対応するトランスポート装置に光信号を転送する。
【００４５】
このとき、インタフェース７０４ｂとインタフェース７０５ａとを接続する光パス１００１ｄの波長は、光パス１００１ｃの波長と同じでもよい。
【００４６】
前述のとおり、人口が多くトラフィックも多い地域Ａ１００に設置されたトランスポート装置の各々と、データセンタ等に接続されるトランスポート装置３０１との間に複数の光パスを設定することにより、コントローラ５００は、地域Ａ１００において増加したトラフィックを転送できる。
【００４７】
一方で、コントローラ５００は、人口が少なくトラフィックが少ない地域Ｂ２００に設置されたトランスポート装置に、地域Ｂ２００において発生したトラフィックの電気信号を多重化させる。そして、コントローラ５００は、地域Ｂ２００に設置された一つのトランスポート装置と、データセンタ等に接続されるトランスポート装置３０１との間に、例えば、１本など、少ない本数の光パスを設定する。
【００４８】
これによって、コントローラ５００は、地域Ｂ２００に設置されたトランスポート装置とトランスポート装置３０１との間に設定される光パスの量を低減でき、地域Ｂ２００におけるリソースの消費を低減できる。そして、地域Ａ１００及び地域Ｂ２００に、トラフィックの量に対応した効率的なネットワークを設定できる。
【００４９】
図２は、実施例１の地域Ａ１００から地域Ｂ２００に人が移動する場合のネットワークの構成を示す説明図である。
【００５０】
図２は、実施例１のネットワークにおける、伝送路の光ファイバの配置、及び、トランスポート装置の配置を示す。また、図２に示す光パスは、夜間に設定される光パスであり、地域Ａ１００から地域Ｂ２００に人が移動した後に設定される光パスである。以下において、図２に示す夜間の状態を状態２と記載する。具体的には、状態２は、地域Ｂ２００に滞在する人口が地域Ａ１００に滞在する人口よりも多い状態である。
【００５１】
図２に示す地域Ａ１００及び地域Ｂ２００は、図１に示す地域Ａ１００及び地域Ｂ２００と同じである。また、図２に示す複数のトランスポート装置及び光ファイバ４００は、図１に示す複数のトランスポート装置及び光ファイバ４００と同じである。
【００５２】
図２と図１との相違点は、設定される光パスである。図２に示す光ファイバ４００には、複数の光パス（１００１ｅ、１００１ｆ、１００１ｇ、１００１ｈ）が設定される。図２に示す地域Ｂ２００を通過する光ファイバ４００には、複数の光パス（１００１ｅ、１００１ｆ）が設定される。また、図２に示す地域Ａ１００を通過する光ファイバ４００には、光パス（１００１ｇ、１００１ｈ）が、各々異なるトランスポート装置間に設定される。
【００５３】
これは、地域Ｂ２００におけるトラフィックの量が、地域Ａ１００におけるトラフィックの量よりも多いためである。
【００５４】
このため、コントローラ５００は、トランスポート装置３０４のインタフェース７０４ｂとトランスポート装置３０１のインタフェース７０１ｂとの間を直接接続する光パス１００１ｅを設定する。また、コントローラ５００は、トランスポート装置３０５のインタフェース７０５ｂとトランスポート装置３０１のインタフェース７０１ｃとの間も直接接続する光パス１００１ｆを設定する。
【００５５】
このとき、トランスポート装置３０５のインタフェース７０５ａは、不使用状態になるため、コントローラ５００は、省電力のためインタフェース７０５ａの電源を遮断することを指示する。また、コントローラ５００は、光スイッチ部８０５−１を、光パス１００１ｅの光信号を光信号のまま転送するように設定する。
【００５６】
一方、地域Ａ１００の状態２における人口は少ないため、コントローラ５００は、地域Ｂ２００におけるトラフィックを送信及び受信するために、容量の大きな光パスを設定する必要はない。ここで、図２に示す地域Ａ１００において発生するトラフィックは、光パス１本分の容量以下で送信及び受信され、光パス１００１ｅ及び光パス１００１ｆの容量の合計値よりも少ない容量の光パスによって送受信される。
【００５７】
このため、図２に示すトランスポート装置３０２及びトランスポート装置３０３間のトラフィックは、トランスポート装置３０２及びトランスポート装置３０１間の光パス１００１ｇに収容される。具体的には、トランスポート装置３０３及びトランスポート装置３０２間のトラフィックは、トランスポート装置３０２の多重分離スイッチ部６０２によって多重化され、さらに、トランスポート装置３０２のインタフェース７０２ａとトランスポート装置３０１のインタフェース７０１ａとの間に設定された１本の光パス１００１ｃに収容される。
【００５８】
より具体的には、トランスポート装置３０２は、状態１におけるトランスポート装置３０５と同様に、トランスポート装置３０３から受信した光信号を電気信号に変換し、自らが企業等から受信した電気信号と光信号から変換された電気信号と多重化する。そして、トランスポート装置３０２は、多重化した電気信号を光信号に変換し、変換後の光信号を、光パス１００１ｇを介してトランスポート装置３０１に送信する。
【００５９】
また、トランスポート装置３０２は、トランスポート装置３０１から光パス１００１ｇを介して受信した光信号を電気信号に変換し、変換後の電気信号を波長ごとに分離し、分離された電気信号の各々を光信号に変換し、各々の波長に対応するトランスポート装置に光信号を転送する。
【００６０】
このとき、インタフェース７０３ａとインタフェース７０２ｂとを接続する光パス１００１ｈの波長は、光パス１００１ｇと同じでもよい。
【００６１】
図１の場合と同様に図２の場合も、人口が多くトラフィックが多い地域Ｂ２００に設置されたトランスポート装置の各々と、データセンタ等に接続されるトランスポート装置３０１との間に複数の光パスを設定することにより、コントローラ５００は、地域Ｂ２００において増加したトラフィックを転送できる。
【００６２】
一方で、コントローラ５００は、人口が少なくトラフィックが少ない地域Ａ１００に設置されたトランスポート装置に、地域Ａ１００において発生したトラフィックを電気的に多重化させる。そして、コントローラ５００は、地域Ａ１００に設置された一つのトランスポート装置とトランスポート装置３０１との間に、例えば１本など、少ない量の光パスを設定する。
【００６３】
これによって、コントローラ５００は、地域Ａ１００に設置されたトランスポート装置とトランスポート装置３０１との間に設定される光パスの量を低減でき、トラフィックの量に対応した効率的なネットワークを設定できる。
【００６４】
図３は、実施例１のトランスポート装置３０１の構成を示すブロック図である。
【００６５】
実施例１の複数のトランスポート装置は、同じ機能を各々有するため、図３においてトランスポート装置３０１を例にトランスポート装置の機能を示す。図３に示すトランスポート装置３０１には、図１に示す光パスが設定される。
【００６６】
多重分離スイッチ部６０１は、多重分離スイッチ部６０１は、多重分離部６０１１及びスイッチ部６０１２を有する。多重分離部６０１１は、データセンタから受信した複数の電気信号を、有効に帯域が利用されるように多重化し、さらにスイッチ部６０１２に転送する。また、多重分離部６０１１は、スイッチ部６０１２から受信した電気信号を分離してデータセンタ等に転送する。
【００６７】
なお、トランスポート装置（３０２〜３０５）の多重分離部は、住宅又は企業等、トランスポート装置が設置される地域の施設と電気信号を送受信する。
【００６８】
スイッチ部６０１２は、多重分離部６０１１から受信した電気信号を複数のインタフェース（７０１ａ、７０１ｂ、７０１ｃ）のいずれかに転送する。また、スイッチ部６０１２は、複数のインタフェースから受信した電気信号を多重分離部６０１１に転送する。
【００６９】
複数のインタフェース（７０１ａ、７０１ｂ、７０１ｃ）は、受信した電気信号を所定の波長の光信号に変換し、光信号を光スイッチ部８０１−１に向けて出力する。また、複数のインタフェース（７０１ａ、７０１ｂ、７０１ｃ）は、光スイッチ部８０１−１から受信した光信号を電気信号に変換し、電気信号をスイッチ部６０１２に向けて出力する。
【００７０】
ここで、複数のインタフェース（７０１ａ、７０１ｂ、７０１ｃ）は、各々流量測定部１１００を有する。流量測定部１１００は、複数のインタフェースの各々を通過するトラフィック流量を測定する。コントローラ５００は、流量測定部１１００によって測定されたトラフィック流量を、制御部９０１を介して収集する。コントローラ５００は、各地域におけるトラフィック流量の合計値（以下、トラフィック合計）を算出し、トラフィック合計を監視する。
【００７１】
トランスポート装置３０１は、光ファイバ４００に含まれる二つのパスを中継する。このため、トランスポート装置３０１は、四つの光ファイバ（４００ａ、４００ｂ、４００ｃ、４００ｄ）に接続される。光ファイバ４００ａは、トランスポート装置３０１から出力される光信号を地域Ｂ２００に設置されるトランスポート装置へ転送する伝送路であり、左回りの伝送路である。光ファイバ４００ｄは、地域Ａ１００から送信された光信号をトランスポート装置３０１に入力する伝送路であり、左回りの伝送路である。
【００７２】
光ファイバ４００ｂは、地域Ｂ２００から送信された光信号をトランスポート装置３０１に入力する伝送路であり、右回りの伝送路である。光ファイバ４００ｃは、トランスポート装置３０１から出力される光信号を地域Ａ１００に設置されるトランスポート装置に転送する伝送路であり、右回りの伝送路である。
【００７３】
光スイッチ部８０１−１は、光分岐挿入型光スイッチである。光スイッチ部８０１−１は、光信号を接続することによって、光信号の送信側のトランスポート装置及び受信側のトランスポート装置間に光パスを設定する。光スイッチ部８０１−１により構成される光パスは、ＩＴＵ−Ｔ等により規定された光波長を有する。
【００７４】
光スイッチ部８０１−１は、インタフェースから入力された複数の光信号を波長によって多重化し、右回り又は左回りの何れかの光ファイバ４００に光信号を挿入するようにスイッチングを実行する。さらに、光ファイバ４００経由で送信された光信号から必要な波長を分岐して、適切なインタフェースに出力する。
【００７５】
光スイッチ部８０１−１は、光スイッチ機能部８０１１、波長多重機能部８０１２ａ及び８０１２ｂ、波長分離機能部８０１３ａ及び８０１３ｂを有する。
【００７６】
光スイッチ機能部８０１１は、インタフェース７０１ｃから受信した光信号を光ファイバ４００ａに出力し、かつ、トランスポート装置３０５と接続するようにコントローラ５００から指示された場合、インタフェース７０１ｃから受信した光信号を波長多重機能部８０１２ａに接続する。ここで、波長多重機能部８０１２ａは、光パス１００１ｃを介して光信号を出力する。
【００７７】
また、光スイッチ機能部８０１１は、インタフェース７０１ａ及びインタフェース７０１ｂから受信した光信号を光ファイバ４００ｃに出力し、トランスポート装置３０２及びトランスポート装置３０３と接続するようにコントローラ５００から指示された場合、受信した光信号を波長多重機能部８０１２ｂに接続する。
【００７８】
波長多重機能部８０１２ｂは、入力された光信号を波長多重して光ファイバ４００ｃに出力する。インタフェース７０１ａ及びインタフェース７０１ｂから受信した光信号を波長多重し、トランスポート装置３０２及びトランスポート装置３０３に向けて、光ファイバ４００ｃに出力する。ここで、波長多重機能部８０１２ｂは、光パス１００１ａ及び光パス１００１ｂを介して、光信号を出力する。
【００７９】
光ファイバ４００ｂには、光パス１００１ｃが設定される。このため、波長分離機能部８０１３ａは、光ファイバ４００ｂから受信した光信号を光スイッチ機能部８０１１に転送し、光スイッチ機能部８０１１は、光ファイバ４００ｂから受信した光信号を、インタフェース７０１ｃに転送する。
【００８０】
また、光ファイバ４００ｄには、光パス１００１ａ及び光パス１００１ｂが設定される。このため、波長分離機能部８０１３ｂは、光ファイバ４００ｄから受信した光信号を波長ごとに分離することによって、光パス１００１ａ及び光パス１００１ｂの光信号に分離する。そして、光スイッチ機能部８０１１は、光パス１００１ａの光信号をインタフェース７０１ａに転送し、光パス１００１ｂの光信号をインタフェース７０１ｂに転送する。
【００８１】
なお、図３に示す光スイッチ部８０１−１は、コントローラ５００の指示に従い、波長分離機能部８０１３及び波長多重機能部８０１２を通過する光信号をすべてインタフェース７０１に接続したが、光スイッチ部８０１−１及びその他の光スイッチ部（８０２−１、８０３−１、８０４−１、８０５−１）は、インタフェース７０１を経由せずに光ファイバ４００の光信号を中継するように設定されてもよい。
【００８２】
図４は、実施例１のトランスポート装置３０１とコントローラ５００との接続を示す説明図である。
【００８３】
コントローラ５００は、トランスポート装置３０１の制御部９０１と接続する。そして、コントローラ５００は、制御部９０１を介して、インタフェース７０１の流量測定部１１００が測定したトラフィック流量を収集する。制御部９０１は、トランスポート装置３０１の多重分離スイッチ部６０１、インタフェース７０１ａ、７０１ｂ及び７０１ｃ、並びに、光スイッチ部８０１に処理を指示したり、監視及び測定結果を収集したりする。
【００８４】
制御部９０１は、プロセッサ及びメモリを有する。制御部９０１の機能は、プログラムによって実装されてもよく、また、ハードウェアによって実装されてもよい。
【００８５】
図５は、実施例１のコントローラ５００の構成を示すブロック図である。
【００８６】
コントローラ５００は、ＣＰＵ１２０４、メモリ１２０２、通信インタフェース（Ｉ／Ｆ）１２０１、及び、Ｉ／Ｏポート１２０５を有する計算機である。ＣＰＵ１２０４は、少なくとも一つのプロセッサを有し、いかなる演算装置でもよい。メモリ１２０２は、データを保持する記憶領域である。
【００８７】
ＣＰＵ１２０４は、メモリ１２０２に展開されるプログラムを実行することにより、コントローラ５００の機能を実装する。ＣＰＵ１２０４がメモリ１２０２においてプログラムを実行することによって、パス設定部１２２及び状態判定部１２３等の機能部が実装される。また、メモリ１２０２は、光パス設定情報１２４及びトラフィック情報１２５を保持する。
【００８８】
パス設定部１２２は、光パス設定情報１２４に従って光パスを設定するよう、複数のトランスポート装置に指示する機能部である。状態判定部１２３は、複数のトランスポート装置から収集されたトラフィック流量を監視する機能部である。
【００８９】
光パス設定情報１２４は、状態１及び状態２において複数のトランスポート装置に設定する光パスを示す。トラフィック情報１２５は、複数のトランスポート装置から収集されたトラフィック流量と、トラフィック流量に基づいて算出された各地域のトラフィック合計とを示す。
【００９０】
通信Ｉ／Ｆ１２０１は、トランスポート装置（３０１〜３０５）と接続するためのネットワークインタフェースである。状態判定部１２３は、通信Ｉ／Ｆ１２０１を介して、トランスポート装置からトラフィック流量を収集し、収集したトラフィック流量をトラフィック情報１２５に格納する。
【００９１】
Ｉ／Ｏポート１２０５は、ディスプレイ１２０６、キーボード１２０７及びマウス１２０８等の入出力装置に接続するためのポートである。ディスプレイ１２０６は、光パス設定情報１２４又はトラフィック情報１２５を表示してもよい。
【００９２】
また、実施例１のネットワークの管理者又は運用者等（以下、管理者）は、キーボード１２０７及びマウス１２０８を用いて、光パス設定情報１２４を更新、削除又は追加してもよい。
【００９３】
図５に示すコントローラ５００の機能部は、プログラムによって実装されたが、集積回路等のハードウェアによって実装されてもよい。
【００９４】
図６は、実施例１の状態１における光パス設定情報１２４ａを示す説明図である。
【００９５】
実施例１の光パス設定情報１２４は、状態１における光パスの設定を示す光パス設定情報１２４ａと、状態２における光パスの設定を示す光パス設定情報１２４ｂを含む。図６は、光パス設定情報１２４ａを示す。光パス設定情報１２４は、実施例１のネットワークの管理者によってあらかじめ生成される。
【００９６】
光パス設定情報１２４は、端ＩＦ１２４１が示すインタフェースと対向ＩＦ１２４２が示すインタフェースとの間に設定される光パスを示す。端ＩＦ１２４１及び対向ＩＦ１２４２は、トランスポート装置のインタフェースを各々示す。
【００９７】
端ＩＦ１２４１が示すインタフェースの行と、対向ＩＦ１２４２が示すインタフェースの列とが交差するカラムに、光パスの識別子が格納される。カラムにｎｕｌｌ値等が格納される場合、そのカラムに対応する端ＩＦ１２４１のインタフェースと対向ＩＦ１２４２のインタフェースとは、光パスによって接続されない。
【００９８】
コントローラ５００のパス設定部１２２が、図６に示す光パス設定情報１２４ａに従ってトランスポート装置に設定を指示することによって、トランスポート装置は、図１に示す光パスを設定する。
【００９９】
例えば、端ＩＦ１２４１が「７０３ａ」を示し、対向ＩＦ１２４２が「７０１ｂ」を示すカラムには、光パス１００１ｂを示す識別子が格納される。これは、トランスポート装置３０３のインタフェース７０３ａとトランスポート装置３０１のインタフェース７０１ｂとの間に、光パス１００１ｂが設定されることを示す。
【０１００】
また、端ＩＦ１２４１が「７０２ｂ」を示し、対向ＩＦ１２４２が「接続なし」を示すカラムには、「不使用」又は「電源オフ」を示す値が格納される。これは、状態１において、トランスポート装置３０２のインタフェース７０２ｂには光パスが設定されないため、インタフェース７０２ｂの電源は遮断されることを示す。
【０１０１】
図７は、実施例１の状態２における光パス設定情報１２４ｂを示す説明図である。
【０１０２】
コントローラ５００が、図７に示す光パス設定情報１２４ｂに従ってトランスポート装置に設定を指示することによって、トランスポート装置は、図２に示す光パスを設定する。
【０１０３】
例えば、端ＩＦ１２４１が「７０３ａ」を示し、対向ＩＦ１２４２が「７０２ｂ」を示すカラムには、光パス１００１ｈを示す識別子が格納される。これは、トランスポート装置３０３のインタフェース７０３ａとトランスポート装置３０２のインタフェース７０２ｂとの間に、光パス１００１ｈが設定されることを示す。
【０１０４】
図８は、実施例１の地域Ａ１００におけるトラフィック合計５０１と地域Ｂ２００におけるトラフィック合計５０２とを示す説明図である。
【０１０５】
図８に示すトラフィック合計５０１は、地域Ａ１００におけるトラフィック合計を示す。また、図８に示すトラフィック合計５０２は、地域Ｂにおけるトラフィック合計を示す。
【０１０６】
また、図８に示すトラフィック合計５０３は、トラフィック合計５０１とトラフィック合計５０２との合計値を示し、ネットワーク全体のトラフィック合計を示す。さらに、図８は、光パスの設定を変更するタイミングを判断するための基準となる、トラフィック合計の閾値を示す。
【０１０７】
実施例１において、トラフィック合計５０１が増加した場合、トラフィック合計５０２は減少する。一方で、トラフィック合計５０２が増加した場合、トラフィック合計５０１は減少する。これは、人の数とトラフィックとの間に相関関係があるためである。
【０１０８】
例えば、コントローラ５００の状態判定部１２３は、地域Ａ１００のトラフィック合計の最大値と最小値とを足して２で除算した中間値を、閾値Ａに定める。また、状態判定部１２３は、地域Ｂ２００のトラフィック合計の最大値と最小値とを足して２で除算した中間値を、閾値Ｂに定める。
【０１０９】
そして、コントローラ５００は、トラフィック合計５０１が閾値Ａを超過したこと、又は、トラフィック合計５０２が閾値Ｂを超過したことをトリガに、状態１又は状態２が開始すると判定し、状態１又は状態２の光パスをネットワークに設定する。
【０１１０】
これによって、トラフィック合計５０３の変動幅は、地域ごとのトラフィック合計５０１及びトラフィック合計５０２の変動幅よりも低減される。言い換えれば、地域ごとにネットワークを設定するよりも、地域Ａ１００及び地域Ｂ２００を包含するネットワークを設定したほうが、ネットワーク全体のトラフィック流量の変動幅は低減される。
【０１１１】
図９は、実施例１のコントローラ５００の処理を示すフローチャートである。
【０１１２】
実施例１のコントローラ５００は、ネットワークの状況を、定期的、又は、ネットワークの管理者等の指示があった場合に取得する（５１０）。ステップ５１０の後、コントローラ５００は、取得した情報に基づいて、ネットワークにおいて設定されていた光パスの状態とは、異なる状態の期間が開始する否かを判定する（５１１）。
【０１１３】
ステップ５１１において、異なる状態の期間は開始していないと判定した場合、コントローラ５００は、ステップ５１０に戻る。また、異なる状態の期間が開始すると判定した場合、コントローラ５００は、光パス設定情報１２４に基づいて、トランスポート装置に光パスの設定を指示する（５１２）。
【０１１４】
以下に、図９に示す処理の詳細を示す。
【０１１５】
図１０は、実施例１のコントローラ５００の処理の具体例を示すフローチャートである。
【０１１６】
図１０は、実施例１の状態１から状態２への変更手順及び状態２から状態１への変更手順を示す。コントローラ５００は、図１０に示す処理を実行する。なお、コントローラ５００は、図１０に示す処理を常に実行してもよいし、管理者の指示に従いステップ１３０１又はステップ１４０１から処理を実行してもよい。
【０１１７】
図１０に示す処理は、手順（１）と手順（２）とを含み、手順（１）によって状態２の光パスが設定され、手順（２）によって状態１の光パスが設定される。
【０１１８】
まず、手順（１）から説明する。状態１において、複数のトランスポート装置の流量測定部１１００は、トラフィック流量を測定する。コントローラ５００の状態判定部１２３は、ネットワークの状況としてこれらの測定結果を取得し、取得した測定結果にもとづいて地域ごとのトラフィック合計を算出する（１３０１）。ステップ１３０１において、状態判定部１２３は、測定結果をトラフィック情報１２５に格納する。
【０１１９】
ステップ１３０１の後、状態判定部１２３は、地域Ａ１００のトラフィック合計が閾値Ａ以下であるか否かを判定する（１３０２）。地域Ａ１００のトラフィック合計が閾値Ａを超えている場合、状態１を継続するため、状態判定部１２３は、ステップ１３０１に戻る。
【０１２０】
また、地域Ａ１００のトラフィック合計が閾値Ａ以下である場合、状態判定部１２３は、地域Ｂ２００のトラフィック合計が閾値Ｂを超えたか否かを判定する（１３０３）。地域Ｂ２００のトラフィック合計が閾値Ｂ以下である場合、状態１を継続するため、状態判定部１２３は、ステップ１３０１に戻る。
【０１２１】
地域Ａ１００のトラフィック合計が閾値Ａ以下であり、かつ、地域Ｂ２００のトラフィック合計が閾値Ｂを超えた場合、状態判定部１２３は、状態２の期間が開始すると判定する。そして、状態判定部１２３は、状態１から状態２への変更を決定し、パス設定部１２２に状態２への移行を指示する。パス設定部１２２は、状態判定部１２３の決定に従い、ステップ１３０４以降の処理を実行する。
【０１２２】
ステップ１３０４において、パス設定部１２２は、光パス設定情報１２４ａ及び光パス設定情報１２４ｂを参照し、光パス設定情報１２４ａにおいて「不使用」又は「電源オフ」のカラムに対応する端ＩＦ１２４１であり、かつ、光パス設定情報１２４ｂにおいて光パスの識別子が格納されるカラムに対応する端ＩＦ１２４１を特定する。
【０１２３】
そして、パス設定部１２２は、特定した端ＩＦ１２４１が示すインタフェースを有するトランスポート装置に、特定したインタフェースの電源を投入するように指示する。
【０１２４】
例えば、図６に示す光パス設定情報１２４ａにおいて「不使用」を示すカラムの端ＩＦ１２４１は、トランスポート装置３０２のインタフェース７０２ｂを示す。そして、光パス設定情報１２４ｂは、インタフェース７０２ｂが、インタフェース７０３ａと光パス１００１ｈによって接続されることを示す。
【０１２５】
このため、パス設定部１２２は、ステップ１３０４において、トランスポート装置３０２に、インタフェース７０２ｂの電源を投入するように指示する。ステップ１３０４を実行することによって、パス設定部１２２は、状態１から状態２に変更するために、状態２において光パスの設定が必要なインタフェースを使用可能にできる。
【０１２６】
ステップ１３０４の後、パス設定部１２２は、光パス設定情報１２４ｂに従って光パスを設定するように、複数のトランスポート装置に指示する。複数のトランスポート装置の制御部９０１は、パス設定部１２２から光パス設定情報１２４ｂを示す指示を受信した場合、指示に従ってインタフェース及び光スイッチ部の設定を変更する（１３０５）。これによって、図２に示すような光パスが設定される。
【０１２７】
ステップ１３０５の後、パス設定部１２２は、光パス設定情報１２４ｂを参照し、状態２において「不使用」又は「電源オフ」を示すインタフェースを特定し、特定したインタフェースのトランスポート装置に、特定したインタフェースの電源を遮断（停止）するように指示する（１３０６）。これによって、パス設定部１２２は、消費電力を低減できる。
【０１２８】
ステップ１３０１〜ステップ１３０６が手順（１）である。手順（１）の後、手順（２）が実行される。
【０１２９】
手順（２）における処理は、手順（１）の処理と同様である。ステップ１３０１〜ステップ１３０６の各々の処理は、ステップ１４０１〜ステップ１４０６に対応する。
【０１３０】
手順（２）のステップ１４０２及び１４０３によって、状態判定部１２３は、地域Ｂ２００のトラフィック合計が閾値Ｂ以下であり、かつ、地域Ａ１００のトラフィック合計が閾値Ａを超えた場合、状態１の期間が開始すると判定する。そして、状態判定部１２３は、状態１への移行を決定する。そして、状態判定部１２３は、パス設定部１２２に状態１への移行を指示する。
【０１３１】
パス設定部１２２は、状態１への移行を指示された場合、ステップ１４０４〜ステップ１４０６の処理によって、光パス設定情報１２４ａが示す光パスをトランスポート装置に設定し、光パス設定情報１２４ａが示す「不使用」又は「電源オフ」のインタフェースの電源の遮断を、トランスポート装置に指示する。手順（２）の後、手順（１）が実行される。
【０１３２】
図１０に示すステップ１３０１及びステップ１４０１が、図９に示すステップ５１０に相当し、図１０に示すステップ１３０２、ステップ１３０３、ステップ１４０２及びステップ１４０３が図９に示すステップ５１１に相当し、ステップ１３０４〜ステップ１３０６及びステップ１４０４〜ステップ１４０６が図９に示すステップ５１２に相当する。
【０１３３】
図１０に示す処理によって、コントローラ５００は、地域ごとのトラフィック流量の変動に従って、ネットワークの光パスの設定を変更できる。そして、コントローラ５００は、効率的なネットワークを構築できる。
【０１３４】
前述の処理において、状態１における地域Ａ１００には２本の光パスが設定され、地域Ｂ２００には１本の光パスが設定された。しかし、コントローラ５００は、トラフィック合計に基づいて、光パスの本数を定めてもよい。
【０１３５】
図１１は、実施例１の設定する光パスの本数の条件を示す説明図である。
【０１３６】
図１１は、状態１と状態２とにおける、トランスポート装置に設定する光パスの本数の条件の例を示す。例えば、状態１における地域Ａ１００のトラフィック合計の最大値が光パス容量のＭ１本分よりも大きい場合、パス設定部１２２は、地域Ａ１００には（Ｍ１＋１）本以上の光パスを設定する。また、不使用のインタフェースがある場合、パス設定部１２２は、省電力のためにこのインタフェースの電源を遮断する。図１及び図２は、Ｍ１＝１に相当する。
【０１３７】
一方、状態２における地域Ａ１００のトラフィック合計の最大値が光パス容量のＮ１本分以下の場合には、パス設定部１２２は、地域Ａ１００にはＮ１本以下の光パスを設定する。図１及び図２はＮ１＝１に相当する。
【０１３８】
パス設定部１２２は、定期的、又は、管理者の指示があった場合、トラフィック情報１２５を参照し、状態１及び状態２の地域Ａ１００におけるトラフィック合計の最大値を取得してもよい。そして、パス設定部１２２は、取得した状態１における最大値を光パス１本あたりの容量によって除算した結果を、Ｍ１本として算出してもよい。また、取得した状態２における最大値を光パス１本あたりの容量によって除算した結果を、（Ｎ１−１）本として算出してもよい。
【０１３９】
そして、パス設定部１２２は、算出したＭ１及びＮ１と図１１に示す条件とに従って、光パスの本数を決定し、新たな光パス設定情報１２４を生成してもよい。また、パス設定部１２２は、算出したＭ１及びＮ１を、実施例１の管理者に向けて出力し、管理者に新たな光パス設定情報１２４の入力を促してもよい。
【０１４０】
なお、実施例１のネットワークの光パスの容量は、各々異なってもよい。ただし、光パス１００１ｃは、光パス１００１ａ及び光パス１００１ｂの容量の合計よりも容量が小さい。また、光パス１００１ｇは、光パス１００１ｅ及び光パス１００１ｆの容量の合計よりも容量が小さい。
【０１４１】
実施例１によれば、複数の地域を人が移動することに着目し、一日を通して全体として人口増減の少ない地理的範囲に一つのネットワークを構築することによって、ネットワーク全体のトラフィック量の変動を低減する。そして、このため、地域Ａ１００における昼間のネットワークの輻輳、又は、地域Ａにおける夜間の設備過剰という課題を解決でき、ネットワークをより効率的に運用することができる。
【０１４２】
具体的には、状態１又は状態２に変化する際に、ネットワークの光パスの設定を変更することによって、一部の地域においてトラフィックの周期的な変動が発生しても、ネットワーク全体としてのトラフィックの変動を抑制できる。
【０１４３】
さらに、トランスポート装置（ＰＯＴＳ）にトラフィック流量測定機能を具備し、トラフィック流量をコントローラ５００が収集、分析し、その結果に基づきトランスポート装置が有する波長多重機能と電気信号の多重機能とを連携して動作させることにより、光パスを最適に設定できる。さらに、不使用となったインタフェースの電源を遮断することにより消費電力の低減（省電力）をはかることができる。
【０１４４】
なお、実施例１のトランスポート装置は、状態１及び状態２の間の光パス設定の変更において、受信信号の性能に影響を与えない無瞬断切替えを実行してもよい。
【実施例２】
【０１４５】
実施例２は、人の移動に着目したネットワークの構成方法および制御方法の、実施例１とは異なる例を示す。実施例１と実施例２との相違点は、状態１における光パスの設定と状態２における光パスの設定との間の変更の手順である。実施例１ではトラフィック流量の測定情報に基づいて設定を変更したが、実施例２では、あらかじめ定められた時刻を基準にパス設定を変更する。
【０１４６】
実施例２のパス設定部１２２は、管理者からあらかじめ入力された時刻Ａ及び時刻Ｂを、保持する。時刻Ａは、状態２に切り替わる時刻である。時刻Ｂは、状態１に切り替わる時刻である。
【０１４７】
また、実施例２のパス設定部１２２は、時刻Ａ及び時刻Ｂを、過去に測定されたトラフィック情報１２５と、曜日及び祝日などの暦の情報などとに基づいて算出してもよい。
【０１４８】
例えば、パス設定部１２２は、土曜日、日曜日及び祝日を除いた過去の複数の日において、地域Ａ１００のトラフィック合計が閾値Ａを超え、かつ、地域Ｂ２００のトラフィック合計が閾値Ｂ以下になった時刻を取得してもよい。そして、パス設定部１２２は、取得した時刻の平均値を時刻Ｂとして求めてもよい。
【０１４９】
また、パス設定部１２２は、土曜日、日曜日及び祝日を除いた過去の複数の日において、地域Ｂ２００のトラフィック合計が閾値Ｂを超え、かつ、地域Ａ１００のトラフィック合計が閾値Ａ以下になった時刻を取得してもよい。そして、パス設定部１２２は、取得した時刻の平均値を時刻Ａとして求めてもよい。
【０１５０】
実施例２におけるネットワーク構成、トランスポート装置の構成、コントローラ５００の構成及び光パス設定情報１２４は、実施例１と同じである。しかし、実施例２のコントローラ５００は、図１０に示す処理ではなく、図１２に示す処理を実行する。
【０１５１】
図１２は、実施例２のコントローラ５００の処理を示すフローチャートである。
【０１５２】
実施例２のコントローラ５００は、手順（３）及び手順（４）を常に実行する。まず、手順（３）を以下に示す。
【０１５３】
手順（３）において、まず、状態判定部１２３は、現在時刻を取得する（１５０１）。状態判定部１２３は、コントローラ５００が有するＯＳから現在時刻を取得してもよいし、コントローラ５００に接続される時刻管理サーバから現在時刻を取得してもよい。
【０１５４】
ステップ１５０１の後、状態判定部１２３は、取得した現在時刻が時刻Ａを超過したか否かを判定する（１５０２）。超過していない場合、状態判定部１２３はステップ１５０１に戻り状態１を継続する。
【０１５５】
時刻Ａを超過した場合、状態判定部１２３は、状態２の期間が開始すると判定する。そして、状態判定部１２３は、状態１から状態２への変更を決定し、パス設定部１２２に状態２への移行を指示する。パス設定部１２２は、状態判定部１２３の決定に従い、ステップ１５０３を実行する。
【０１５６】
ステップ１５０３〜ステップ１５０５の処理は、図１０に示すステップ１３０４〜ステップ１３０６と同じである。ステップ１５０３〜ステップ１５０５によって、状態２の光パスがネットワークに設定される。ステップ１５０５の後、パス設定部１２２は、手順（４）を実行する。
【０１５７】
手順（４）において、パス設定部１２２は、ステップ１５０１と同じく現在時刻を取得する（１６０１）。ステップ１６０１の後、パス設定部１２２は、取得した現在時刻が時刻Ｂを超過したか否かを判定する（１６０２）。超過していない場合、パス設定部１２２はステップ１６０１に戻り、状態２を継続する。
【０１５８】
時刻Ｂを超過した場合、状態判定部１２３は、状態１の期間が開始すると判定する。そして、状態判定部１２３は、状態１への移行を決定する。そして、状態判定部１２３は、パス設定部１２２に状態１への移行を指示する。パス設定部１２２はステップ１６０３を実行する。
【０１５９】
ステップ１６０３〜ステップ１６０５は、図１０に示すステップ１４０４〜ステップ１４０６と同じである。ステップ１６０３〜ステップ１６０５によって、状態１の光パスがネットワークに設定される。ステップ１６０５の後、パス設定部１２２は、手順（３）を実行する。
【０１６０】
図１２に示すステップ１５０１及びステップ１６０１が、図９に示すステップ５１０に相当し、図１２に示すステップ１５０２及びステップ１６０２が図９に示すステップ５１１に相当し、ステップ１５０３〜ステップ１５０５及びステップ１６０３〜ステップ１６０５が図９に示すステップ５１２に相当する。
【０１６１】
実施例２によれば、コントローラ５００が常にトラフィック流量を取得しないため、コントローラ５００における処理の負荷を低減できる。また、状態１又は状態２に切り替わる時刻を、管理者が任意に指定できる。
【実施例３】
【０１６２】
実施例３は、実施例１において光ファイバ４００が切断されたなどの障害が発生した場合も、実施例１と同様の効果を得るための実施例である。
【０１６３】
図１３は、実施例３の状態１のネットワークの構成を示す説明図である。
【０１６４】
図１３は、図１に示す状態１において地域Ｂ２００に設置されたトランスポート装置と直接接続するための光ファイバ４００に障害が発生した後に、再設定された光パスの例を示す。実施例３のコントローラ５００、多重分離スイッチ部（６０１〜６０５）、インタフェース（７００〜７０５）、制御部（９０１〜９０５）、及び、流量測定部１１００は、実施例１と同じである。
【０１６５】
一方、実施例３と実施例１との相違点は、実施例３のトランスポート装置（３０１〜３０５）が、光スイッチ部（８０１−１、８０２−１、８０３−１、８０４−１、８０５−１）の代わりに、光スイッチ部（８０１−２、８０２−２、８０３−２、８０４−２、８０５−２）を有する点である。
【０１６６】
実施例３の光スイッチ部（８０１−２、８０２−２、８０３−２、８０４−２、８０５−２）は、ディレクションレス型光スイッチである。ディレクションレス型光スイッチは、接続される二つのインタフェース間の光ファイバ４００における方路を、他の方路に切り替えることができる。
【０１６７】
障害後の状態１における光スイッチ部８０５−２及び光スイッチ部８０１−２は、インタフェース７０５ｂとインタフェース７０１ｃとの間の光パス１００１ｃ１を、地域Ａに設置される光ファイバ４００、すなわち、左回りの光ファイバ４００に設定する。光スイッチ部８０４−２、８０３−２及び８０２−２は、光パス１００１ｃ１を中継する。
【０１６８】
実施例３におけるネットワークは、光ファイバ４００が切断されるような障害が発生した場合に、光パス１００１ｃ１を再設定することにより通信を継続させることができる。ここで、障害時に再設定される光パス１００１ｃ１は、障害が発生していない光ファイバに設定されれば、いかなる光ファイバ４００に設定されてもよい。
【０１６９】
実施例３のトランスポート装置は、光ファイバ４００における切断を検知した場合、切断が発生した光ファイバ４００の位置を、障害通知としてコントローラ５００に通知する。例えば、トランスポート装置３０１は、波長多重機能部８０１２ａに接続される光ファイバ４００ａが切断したことを検知した場合、トランスポート装置３０１とトランスポート装置３０５とを接続する光ファイバ４００において切断が生じたことを、コントローラ５００に通知する。
【０１７０】
実施例３のコントローラ５００のパス設定部１２２は、光ファイバ４００における障害通知を受信した場合、受信した障害通知が示す障害の位置と、現在のネットワークに適用している光パス設定情報１２４とに基づいて、用いる光パス設定情報１２４を選択する。そして、パス設定部１２２は、選択した光パス設定情報１２４に従ってトランスポート装置に光パスの設定を指示する。
【０１７１】
この結果、ディレクションレス型光スイッチである光スイッチ部８０１−２及び８０５−２が接続先の光ファイバの方路を切り替える。なお、図１３に示す構成の場合、インタフェース７０２ｂは、接続がなく電源が遮断されるため、省電力をはかることが出来る。
【０１７２】
図１４は、実施例３の状態２のネットワークの構成を示す説明図である。
【０１７３】
図１４は、図２に示す状態２において地域Ｂ２００に設置されたトランスポート装置と直接接続するための光ファイバ４００に障害が発生した後に、再設定された光パスの例を示す。図１４に示すトランスポート装置及びコントローラ５００は、図１３に示すトランスポート装置及びコントローラ５００と同じである。図１３と図１４とが示す障害が発生した箇所は同じである。
【０１７４】
障害後のネットワークにおいて、障害前に設定されていた光パス１００１ｅ及び１００１ｆは、地域Ａ１００に設置されたトランスポート装置を経由する光パス１００１ｅ１及び１００１ｆ１に変更される。
【０１７５】
障害後の状態２における光スイッチ部８０５−２及び光スイッチ部８０１−２は、インタフェース７０５ｂとインタフェース７０１ｃとの間の光パス１００１ｆ１を、地域Ａ１００に設置される光ファイバ４００、すなわち、左回りの光ファイバ４００に設定する。光スイッチ部（８０４−２、８０３−２、８０２−２）は、光パス１００１ｆ１を中継する。
【０１７６】
また、障害後の状態２における光スイッチ部８０４−２及び光スイッチ部８０１−２は、インタフェース７０４ｂとインタフェース７０１ｂとの間の光パス１００１ｆ１を、地域Ａ１００に設置される光ファイバ４００、すなわち、左回りの光ファイバ４００に設定する。光スイッチ部８０３−２及び８０２−２は、光パス１００１ｅ１を中継する。
【０１７７】
実施例３のコントローラ５００のパス設定部１２２は、光ファイバ４００における障害通知を受信した場合、図１３における処理と同じく、受信した障害通知が示す障害の位置と、現在のネットワークに適用している光パス設定情報１２４とに基づいて、用いる光パス設定情報１２４を選択する。そして、パス設定部１２２は、選択した光パス設定情報１２４に従ってトランスポート装置に光パスの設定を指示する。
【０１７８】
この結果、ディレクションレス型光スイッチである光スイッチ部８０１−２、８０４−２及び８０５−２が接続先の光ファイバ４００の方路を切り替え、トランスポート装置３０１及び３０５は光パス１００１ｆ１を設定する。そして、トランスポート装置３０１及び３０４は、光パス１００１ｅ１を設定する。なお、図１４に示す構成の場合、インタフェース７０５ａは接続がなく電源が遮断されるため、省電力をはかることができる。
【０１７９】
図１５は、実施例３の障害時の状態１における光パス設定情報１２４ｃを示す説明図である。
【０１８０】
光パス設定情報１２４ｃは、地域Ｂ２００に設置されたトランスポート装置３０５とトランスポート装置３０１との間の光ファイバ４００において障害が発生し、かつ、障害の発生時にネットワークに光パス設定情報１２４ａの光パスが設定されていた場合に、パス設定部１２２が選択する光パス設定情報１２４である。
【０１８１】
図１６は、実施例３の障害時の状態２における光パス設定情報１２４ｄを示す説明図である。
【０１８２】
光パス設定情報１２４ｄは、地域Ｂ２００に設置されたトランスポート装置３０５とトランスポート装置３０１との間の光ファイバ４００において障害が発生し、かつ、障害の発生時にネットワークに光パス設定情報１２４ｂの光パスが設定されていた場合に、パス設定部１２２が選択する光パス設定情報１２４である。
【０１８３】
光パス設定情報１２４ｃ及び光パス設定情報１２４ｄは、光パス設定情報１２４ａ及び光パス設定情報１２４ｂと同じく、端ＩＦ１２４１及び対向ＩＦ１２４２を含む。光パス設定情報１２４ｃ及び光パス設定情報１２４ｄは、実施例３のネットワークの管理者等によってあらかじめ設定される。
【０１８４】
また、実施例３の光パス設定情報１２４には、地域Ａ１００に設置されるトランスポート装置とトランスポート装置３０１とを接続する光ファイバ４００において障害が発生した場合など、障害が発生した位置に従った光パス設定情報が含まれてもよい。
【０１８５】
障害が発生し、光パス設定情報１２４ｃ又は光パス設定情報１２４ｄがネットワークに適用された後も障害が継続する場合、パス設定部１２２は、光パス設定情報１２４ｃ又は１２４ｄを用いることによって、ネットワークの状態を変更させる。この時、図１０に示す手順によってネットワークに設定する光パスを変更してもよいし、図１２に示す手順によって光パスを変更してもよい。
【０１８６】
実施例３によれば、光ファイバ４００が切断した場合など、障害が発生した場合であっても、実施例１及び実施例２と同じく、全体として人口増減の少ない範囲を一つのネットワークとして構築し、トラフィック量の変動に従ってパスを設定するため、ネットワーク全体のトラフィック量の変動を低減できる。このため、地域Ａ１００における昼間のネットワークの輻輳、又は、地域Ａにおける夜間の設備過剰という課題を解決でき、ネットワークをより効率的に運用することができる。
【実施例４】
【０１８７】
実施例４は、実施例１〜３に示すネットワークに、サブネットワークを構成する伝送路光ファイバが追加された場合の実施例である。
【０１８８】
図１７は、実施例４の状態１における地域Ｂ２００のネットワークを示す説明図である。
【０１８９】
図１７は、地域Ｂ２００に設置されたトランスポート装置（３０４、３０５）に、サブネットワークを接続した場合のネットワーク構成、及びトランスポート装置の配置を示す。また、図１７は、実施例４のトランスポート装置に、状態１において設定される光パスを示す。
【０１９０】
実施例４のトランスポート装置（３０４、３０５）には、サブネットワークとして、光ファイバ（４０４、４０５）が接続される。トランスポート装置３０４は、光ファイバ４０４を介して、トランスポート装置３０６及びトランスポート装置３０７と接続する。トランスポート装置３０５は、光ファイバ４０５を介して、トランスポート装置３０８及びトランスポート装置３０９と接続する。
【０１９１】
実施例４のトランスポート装置（３０４、３０５）は、実施例１のトランスポート装置（３０４、３０５）と同様である。しかし、実施例４のトランスポート装置３０４及びトランスポート装置３０５は、光スイッチ部８０４−１及び光スイッチ部８０５−１の代わりに、光スイッチ部８０４−３及び光スイッチ部８０５−３を有する。
【０１９２】
光スイッチ部８０４−２と光スイッチ部８０５−２とは、光クロスコネクト型光スイッチであり、波長単位で３以上の光ファイバ方路間の接続の切替えが可能である。光スイッチ部８０４−２と光スイッチ部８０５−２とは、一般的に用いられる波長選択スイッチを用いて実装されてもよい。
【０１９３】
また、実施例４のトランスポート装置３０４は、インタフェース７０４ｂ及びインタフェース７０４ｃを有し、実施例４のトランスポート装置３０５は、インタフェース（７０５ａ、７０５ｂ、７０５ｃ）を有する。実施例１のインタフェース（７０４、７０５）と実施例４のインタフェース（７０４、７０５）とは同じ機能を有する。
【０１９４】
図１７は、実施例４の状態１における地域Ｂ２００を示し、地域Ｂ２００におけるトラフィックは少ない。このため、トランスポート装置３０５は、例えば一つの光パス１００１ｃなど、実施例１と同じく、容量の少ない光パス１００１ｃによって地域Ｂ２００におけるトラフィックをトランスポート装置３０１に転送できる。
【０１９５】
具体的には、トランスポート装置３０５は、トランスポート装置３０４のトラフィックと、トランスポート装置３０６及びトランスポート装置３０７のトラフィックとを、光パス１００１ｃに収容する。トランスポート装置３０５は、受信した光信号を電気信号に変換し、トランスポート装置３０５が受信した電気信号と、光信号から変換された電気信号とを波長多重する。そして、トランスポート装置３０５は、波長多重した電気信号を光信号に変換し、光パス１００１ｃを介してトランスポート装置３０１に送信する。
【０１９６】
また、状態１におけるトランスポート装置（３０４、３０６、３０８）も、トランスポート装置３０５と同様に、他のトランスポート装置（３０６、３０７、３０９）から受信した光信号を電気信号において波長多重した後、光信号として光パス（１００１ｄ、１００４、１００５）に出力する。
【０１９７】
トランスポート装置３０６は、状態１において、トランスポート装置３０７のトラフィックを収容する光パス１００４を、トランスポート装置３０４との間に設定する。トランスポート装置３０８は、状態１において、トランスポート装置３０９のトラフィックを収容する光パス１００５を、トランスポート装置３０５との間に設定する。
【０１９８】
また、状態１において、トランスポート装置３０６及びトランスポート装置３０７の間には、光パスが設定され、トランスポート装置３０８及びトランスポート装置３０９の間には、光パスが設定される。
【０１９９】
また、トランスポート装置３０５は、トランスポート装置３０１から光パス１００１ｃを介して受信した光信号を電気信号に変換し、変換後の電気信号を波長ごとに分離し、分離された電気信号の各々を光信号に変換し、各々の波長に対応するトランスポート装置に光信号を転送する。
【０２００】
また、トランスポート装置（３０４、３０６、３０８）も、トランスポート装置３０５と同様に、トランスポート装置３０１から受信した光信号を電気信号において波長ごとに分離した後、分離後の電気信号を光信号として光パスに出力する。
【０２０１】
実施例４のコントローラ５００は、トランスポート装置（３０１〜３０５）と、トランスポート装置（３０６〜３０９）とに接続され、状態１においてサブネットワークに設定される光パスを示す光パス設定情報１２４を保持する。このため、例えば、図１０に示すステップ１４０２及びステップ１４０３において状態１に移行することを決定した場合、光パス設定情報１２４に従って、トランスポート装置（３０１〜３０９）に光パスの設定を指示する。
【０２０２】
図１８は、実施例４の状態２における地域Ｂ２００のネットワークを示す説明図である。
【０２０３】
図１８は、図１７と同じく、地域Ｂ２００に設置されたトランスポート装置（３０４、３０５）に、サブネットワークを接続した場合のネットワークの構成、及びトランスポート装置の配置を示す。また、図１８は、実施例４のトランスポート装置に、状態２において設定される光パス、及び、電源が遮断されるインタフェースを示す。
【０２０４】
図１８は、実施例４の状態２における地域Ｂを示し、地域Ｂ２００におけるトラフィックは多い。このため、トランスポート装置（３０６〜３０９）は、各々トランスポート装置３０１との光パスを設定する。
【０２０５】
トランスポート装置３０６は、トランスポート装置３０１との間に光パス１００４ａを設定し、トランスポート装置３０７は、トランスポート装置３０１との間に光パス１００４ｂを設定する。また、トランスポート装置３０８は、トランスポート装置３０１との間に光パス１００５ａを設定し、トランスポート装置３０９は、トランスポート装置３０１との間に光パス１００５ｂを設定する。
【０２０６】
トランスポート装置３０４の光スイッチ部８０４−３は、光パス（１００４ａ、１００４ｂ）を光信号のまま中継する。また、トランスポート装置３０５の光スイッチ部８０５−３は、光パス（１００４ａ、１００４ｂ、１００５ａ、１００５ｂ）を光信号のまま中継する。
【０２０７】
なお、図１８に示すトランスポート装置３０４及びトランスポート装置３０５は、各々トランスポート装置３０１との間に光パス（１００１ｅ、１００１ｆ）を設定してもよい。また、トランスポート装置３０１は、設定される光パス（１００４ａ、１００４ｂ、１００５ａ、１００５ｂ等）の数のインタフェースを有する必要がある。
【０２０８】
図１８において、トランスポート装置３０６のインタフェース７０６ｂ、トランスポート装置３０８のインタフェース７０８ｂには光パスが設定されないため、コントローラ５００は、インタフェース７０６ｂ及びインタフェース７０８ｂの電源を遮断するようにトランスポート装置３０６及びトランスポート装置３０８に指示する。
【０２０９】
また、光パス（１００１ｅ、１００１ｆ）が設定されない場合、トランスポート装置３０４のインタフェース（７０４ｂ、７０４ｃ）、トランスポート装置３０５のインタフェース（７０５ａ、７０５ｂ、７０５ｃ）には光パスが設定されないため、コントローラ５００は、インタフェース（７０４ｂ、７０４ｃ）及びインタフェース（７０５ａ、７０５ｂ、７０５ｃ）の電源を遮断するようにトランスポート装置３０４及びトランスポート装置３０５に指示する。
【０２１０】
なお、実施例４において、状態１から状態２へ光パスを変更する手順及び状態２から状態１へ光パスを設定する手順は、図１０に示す手順であってもよいし、図１２に示す手順であってもよい。また、図１７及び図１８は、地域Ｂ２００について示したが、地域Ａ１００におけるトランスポート装置３０２及びトランスポート装置３０３のいずれかにサブネットワークが接続された場合も、図１７及び図１８と同様な光パスが設定される。
【０２１１】
実施例４によれば、トランスポート装置にサブネットワークが接続された場合であっても、実施例１又は実施例２と同様の効果を得ることができる。具体的には、一日を通して全体として人口増減の少ない地理的範囲に一つのネットワークを構築し、地域内のトラフィックの変動に従ってパスを切り替えることによって、ネットワークの輻輳、又は、夜間の設備過剰という課題を解決できる。そして、ネットワークをより効率的に運用することができる。
【０２１２】
さらに、トランスポート装置が有する波長多重機能と電気多重機能とを連携して用いることにより、光パスを最適に設定でき、不使用となったインタフェースの電源を遮断することにより消費電力の低減（省電力）をはかることができる。
【０２１３】
なお、前述の実施例１〜実施例４のネットワークにおいて、リング状の光ファイバ４００によってトランスポート装置が接続されたが、本発明のトランスポート装置は、メッシュ型の光ファイバによって接続されてもよい。また、前述の実施例１〜実施例４のトランスポート装置は、相互に光信号によって通信したが電気信号を波長多重できれば、電気信号を送受信してもよい。
【０２１４】
また、本発明は上記した実施例に限定されるものではなく、様々な変形例が含まれる。例えば、上記した実施例は本発明を分かりやすく説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除又は置換をすることが可能である。
【０２１５】
具体的には、実施例４の地域Ｂ２００内のネットワークにおいて障害が発生した場合、実施例３のネットワークと同様に、地域Ｂ２００に設置されたトランスポート装置が転送するトラフィックを、地域Ａ１００のトランスポート装置を経由してトランスポート装置３０１に転送してもよい。
【０２１６】
また、前述のコントローラ５００の構成及び機能部等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。コントローラ５００の各機能を実現するプログラム、テーブル又はファイル等の情報は、メモリ、ハードディスク、若しくは、ＳＳＤ（Ｓｏｌｉｄ  Ｓｔａｔｅ  Ｄｒｉｖｅ）等の記録装置、又は、ＩＣカード若しくはＳＤカード等の記録媒体に置くことができる。
【０２１７】
また、制御線及び情報線は説明上必要と考えられるものを示しており、製品上必ずしもすべての制御線や情報線を示しているとは限らない。実際には殆どすべての構成が相互に接続されていると考えてもよい。
【符号の説明】
【０２１８】
１００  地域Ａ
２００  地域Ｂ
３０１、３０２、３０３、３０４、３０５、３０６、３０７  トランスポート装置
４００  光ファイバ
５００  コントローラ
６０１、６０２、６０３、６０４、６０５、６０６、６０７  多重分離スイッチ部
７０１、７０２、７０３、７０４、７０５、７０６、７０７  インタフェース
８０１、８０２、８０３、８０４、８０５、８０６、８０７  光スイッチ部
９０１、９０２、９０３、９０４、９０５、９０６、９０７  制御部
１００１、１００４、１００５  光パス
１１００  トラフィック流量測定部
【図１】
2015216479.tif 000003
【図２】
2015216479.tif 000004
【図３】
2015216479.tif 000005
【図４】
2015216479.tif 000006
【図５】
2015216479.tif 000007
【図６】
2015216479.tif 000008
【図７】
2015216479.tif 000009
【図８】
2015216479.tif 000010
【図９】
2015216479.tif 000011
【図１０】
2015216479.tif 000012
【図１１】
2015216479.tif 000013
【図１２】
2015216479.tif 000014
【図１３】
2015216479.tif 000015
【図１４】
2015216479.tif 000016
【図１５】
2015216479.tif 000017
【図１６】
2015216479.tif 000018
【図１７】
2015216479.tif 000019
【図１８】
2015216479.tif 000020